(57)【要約】【課題】自分の趣味に合った音楽/音声を相手を電話で呼び出している間に聴くことができる呼び出しメロディーサービス方法、呼び出しメロディーサービスシステム及びそのプログラムを提供する。【解決手段】電話端末１１、１２、２３又はＰＣ４は、サービスプロバイダのサービスサイト５にインターネットでアクセスし、好みの音楽又は音声を選択しサービスノード３にダウンロードし、発信電話番号及び着信電話番号に対応づけて設定を行う。交換機２１、２２又はＩＰ交換機２３は、電話発信時に発信電話番号及び着信電話番号をサービスノード３に通知し、また、電話着信応答時に発信者と着信者の電話端末間での通話処理が開始された旨をサービスノード３に通知する。サービスノード３は、発信電話番号及び着信電話番号に対応づけられた音楽又は音声を交換機２を経由して発信者の電話端末１ａに流す。【選択図】図１
2006148198.tif 000002
【特許請求の範囲】
【請求項１】
所定の入力手段により、複数の音楽又は音声を蓄積したサービスサイトに通信ネットワークを介してアクセスし、所定の音楽又は音声を選択して前記サービスノードにダウンロードし、ダウンロードされた音楽又は音声を所定の発信電話番号及び着信電話番号に対応づけて前記サービスノードに設定を行う段階と、
前記サービスノードに設定されている所定の発信電話番号による電話発信を受け付けた交換機が、前記発信電話番号及び着信電話番号を前記サービスノードに通知する段階と、
前記サービスノードが前記交換機より通知された発信電話番号及び着信電話番号に対応づけられた前記音楽又は音声を前記発信電話番号の電話端末に流す段階と、
前記発信電話番号と着信電話番号の電話端末間での通話処理が開始されたときに前記交換機がその旨を前記サービスノードに通知する段階と、
前記サービスノードが前記通話処理が開始された旨の通知を受け付けたときに、前記音楽又は音声を前記発信電話番号の電話端末に流すのを停止する段階とを有する、呼び出しメロディーサービス方法。
【請求項２】
所定の入力手段により、複数の音楽又は音声を蓄積したサービスサイトに通信ネットワークを介してアクセスし、所定の音楽又は音声を選択して電話端末にダウンロードし、ダウンロードされた音楽又は音声を所定の着信電話番号に対応づけて前記電話端末に設定を行う段階と、
前記音楽又は音声が設定されている電話端末による電話発信が行われた際に、前記電話端末にその着信電話番号に対応づけられて設定されている前記音楽又は音声を再生する段階と、
発信電話番号と着信電話番号の電話端末間での通話処理が開始されたときに、前記発信電話番号の電話端末が、前記音楽又は音声を前記発信電話番号の電話端末に再生するのを停止する段階とを有する、呼び出しメロディーサービス方法。
【請求項３】
前記設定を行う段階は、前記音楽又は音声を発信電話番号、着信電話番号、日付又は時刻情報に対応づけて設定を行う、請求項１に記載の呼び出しメロディーサービス方法。
【請求項４】
前記設定を行う段階は、前記音楽又は音声を着信電話番号、日付又は時刻情報に対応づけて設定を行う、請求項２に記載の呼び出しメロディーサービス方法。
【請求項５】
前記所定の入力手段は、電話端末又はパーソナルコンピュータである請求項１から請求項４のいずれか１項に記載の呼び出しメロディーサービス方法。
【請求項６】
複数の音楽又は音声を蓄積したサービスサイトに通信ネットワークを介してアクセスし、所定の音楽又は音声を選択して前記サービスノードにダウンロードし、ダウンロードされた音楽又は音声を所定の発信電話番号及び着信電話番号に対応づけてサービスノードに設定を行う所定の入力手段と、
前記サービスノードに設定されている所定の発信電話番号による電話発信を受け付けて、前記発信電話番号及び着信電話番号を前記サービスノードに通知し、また、前記発信電話番号と着信電話番号の電話端末間での通話処理が開始されたときにその旨を前記サービスノードに通知する交換機と、
前記交換機より通知された発信電話番号及び着信電話番号に対応づけられた前記音楽又は音声を前記発信電話番号の電話端末に流し、また、前記交換機より通話処理が開始された旨の通知を受け付けたときに、前記音楽又は音声を前記発信電話番号の電話端末に流すのを停止する前記サービスノードとを有する、呼び出しメロディーサービスシステム。
【請求項７】
複数の音楽又は音声を蓄積したサービスサイトに通信ネットワークを介してアクセスし、所定の音楽又は音声を選択して電話端末にダウンロードし、ダウンロードされた音楽又は音声を所定の着信電話番号に対応づけて前記電話端末に設定を行う所定の入力手段と、
前記音楽又は音声が設定されている電話端末による電話発信が行われた際に、前記電話端末にその着信電話番号に対応づけられて設定されている前記音楽又は音声を再生し、発信電話番号と着信電話番号の電話端末間での通話処理が開始されたときに、前記音楽又は音声を再生するのを停止する前記電話端末とを有する、
呼び出しメロディーサービスシステム。
【請求項８】
前記所定の入力手段は、前記音楽又は音声を発信電話番号、着信電話番号、日付又は時刻情報に対応づけて設定を行う、請求項６に記載の呼び出しメロディーサービスシステム。
【請求項９】
前記所定の入力手段は、前記音楽又は音声を着信電話番号、日付又は時刻情報に対応づけて設定を行う、請求項７に記載の呼び出しメロディーサービスシステム。
【請求項１０】
前記サービスノードは、通信ネットワークとインターワークを行うインターフェース部と、メロディーサービスの加入者が設定した内容を管理する加入者データ部と、音楽及び音声を保持するための音楽及び音声データ部と、メロディーサービスを制御する制御部とを有する、請求項７または請求項８に記載の呼び出しメロディーサービスシステム。
【請求項１１】
前記所定の入力手段は、電話端末又はパーソナルコンピュータである請求項６から請求項１０のいずれか１項に記載の呼び出しメロディーサービスシステム。
【請求項１２】
コンピュータ又はマイクロプロセッサに請求項１から請求項５のいずれか１項に記載の呼び出しメロディーサービス方法を実行させるためのプログラム。
【請求項１３】
コンピュータ又はマイクロプロセッサを請求項６から請求項１０のいずれか１項に記載の呼び出しメロディーサービスシステムとして機能させるためのプログラム。
【発明の詳細な説明】
【技術分野】
【０００１】
本発明は、呼び出しメロディーサービス方法、呼び出しメロディーサービスシステム及びそのプログラムに関する。
【背景技術】
【０００２】
従来の技術においては、電話装置等の通信機器においては、電話呼び出し中の呼び出し音は、画一的なリングバックトーンであり無味乾燥なものである。
【０００３】
また、回線を保留する時に回線に送出する保留音や電話呼び出し中の呼び出し音について、着信者側の趣味で設定された音楽/音声を発信者が聴くような従来の技術として以下に説明するものがあるが、発信者側の趣味が考慮されて設定されている場合はなかった。
【０００４】
たとえば、複数の可聴音信号を発生可能な可聴音信号発生手段と、時計手段と、時計手段から入力された日付もしくは時刻情報、又は特定の時期と対応して記憶されている可聴音指定情報に基づき、可聴音変更指示を行う可聴音変更手段とを備え、指定した特定の日時又は毎月、毎時間ごとに、保留音、着信音、呼び出し音等の可聴音のパターンを指定されたパターンに変更することが可能となり、時期や時刻にふさわしいパターンを自動的に送出することができる、可聴音自動変更機能を有する通信装置があるが（特許文献１参照。）、この場合も着信者側の趣味で設定されている。
【０００５】
また、回線インターフェース部を介して外部回線に接続され他の電話装置等の通信機器と通信可能な親端末としての親機と、この親機との間で無線通信を行う情報携帯端末としての子機とによって構成されるものが特許文献２に開示されている。子機は、ネットワークを介して配信される音楽情報を親機を介して受信し、受信した音楽情報を音声信号へ変換してヘッドセット部のスピーカ部より出力する。音楽を切り替えたい場合は、子機の操作・表示部により音楽切替要求を行い、電話の発呼・着呼時には音楽を停止するかあるいは音楽を出力したまま、通常の電話機能を実施することができる情報携帯端末がある。しかしながら、子機によって音楽を聴いている状況において、電話の発呼・着呼時には音楽を停止する等の例であり、保留音や呼び出し音を発信者側の趣味で設定している例ではない。
【特許文献１】特開平９−６９８６９号公報
【特許文献２】特開２００１−１６８９６２号公報
【発明の開示】
【発明が解決しようとする課題】
【０００６】
従来の技術では、電話装置等の通信機器においては、電話呼び出し中の呼び出し音は、着信者側の趣味で設定された音楽/音声を発信者が聴くため、発信者側の趣味が考慮されていない。
【０００７】
そのため、発信者側の趣味に合わない音楽/音声を相手が出るまで聴かされてしまい、ストレスを感じたり、相手が出る前に呼切断を行ってしまう可能性がある。これではサービスの普及、事業者の収入に大きく貢献できないという問題が生じる。
【０００８】
本発明の目的は、自分の趣味に合った音楽/音声を相手を電話で呼び出している間に聴くことができる呼び出しメロディーサービス方法、呼び出しメロディーサービスシステム及びそのプログラムを提供することにある。
【課題を解決するための手段】
【０００９】
本発明の呼び出しメロディーサービス方法は、
所定の入力手段により、複数の音楽又は音声を蓄積したサービスサイトに通信ネットワークを介してアクセスし、所定の音楽又は音声を選択してサービスノードにダウンロードし、ダウンロードされた音楽又は音声を所定の発信電話番号及び着信電話番号に対応づけてサービスノードに設定を行う段階と、サービスノードに設定されている所定の発信電話番号による電話発信を受け付けた交換機が、発信電話番号及び着信電話番号をサービスノードに通知する段階と、サービスノードが交換機より通知された発信電話番号及び着信電話番号に対応づけられた音楽又は音声を発信電話番号の電話端末に流す段階と、発信電話番号と着信電話番号の電話端末間での通話処理が開始されたときに交換機がその旨をサービスノードに通知する段階と、サービスノードが通話処理が開始された旨の通知を受け付けたときに、音楽又は音声を発信電話番号の電話端末に流すのを停止する段階とを有する。
【００１０】
また、設定を行う段階は、前記音楽又は音声を発信電話番号、着信電話番号、日付又は時刻情報に対応づけて設定を行ってもよい。
【００１１】
本発明の呼び出しメロディーサービス方法は、
所定の入力手段により、複数の音楽又は音声を蓄積したサービスサイトに通信ネットワークを介してアクセスし、所定の音楽又は音声を選択して電話端末にダウンロードし、ダウンロードされた音楽又は音声を所定の着信電話番号に対応づけて電話端末に設定を行う段階と、音楽又は音声が設定されている電話端末による電話発信が行われた際に、電話端末にその着信電話番号に対応づけられて設定されている音楽又は音声を再生する段階と、発信電話番号と着信電話番号の電話端末間での通話処理が開始されたときに、発信電話番号の電話端末が、音楽又は音声を発信電話番号の電話端末に再生するのを停止する段階とを有する。
【００１２】
また、設定を行う段階は、前記音楽又は音声を着信電話番号、日付又は時刻情報に対応づけて設定を行ってもよい。
【００１３】
また、所定の入力手段は、電話端末又はパーソナルコンピュータであってもよい。
【００１４】
本発明の呼び出しメロディーサービスシステムは、
複数の音楽又は音声を蓄積したサービスサイトに通信ネットワークを介してアクセスし、所定の音楽又は音声を選択してサービスノードにダウンロードし、ダウンロードされた音楽又は音声を所定の発信電話番号及び着信電話番号に対応づけてサービスノードに設定を行う所定の入力手段と、サービスノードに設定されている所定の発信電話番号による電話発信を受け付けて、発信電話番号及び着信電話番号をサービスノードに通知し、また、発信電話番号と着信電話番号の電話端末間での通話処理が開始されたときにその旨をサービスノードに通知する交換機と、交換機より通知された発信電話番号及び着信電話番号に対応づけられた音楽又は音声を発信電話番号の電話端末に流し、また、交換機より通話処理が開始された旨の通知を受け付けたときに、音楽又は音声を発信電話番号の電話端末に流すのを停止するサービスノードとを有する。
【００１５】
また、所定の入力手段は、音楽又は音声を発信電話番号、着信電話番号、日付又は時刻情報に対応づけて設定を行ってもよい。
【００１６】
また、サービスノードは、通信ネットワークとインターワークを行うインターフェース部と、メロディーサービスの加入者が設定した内容を管理する加入者データ部と、音楽及び音声を保持するための音楽及び音声データ部と、メロディーサービスを制御する制御部とを有してもよい。
【００１７】
本発明の呼び出しメロディーサービスシステムは、
複数の音楽又は音声を蓄積したサービスサイトに通信ネットワークを介してアクセスし、所定の音楽又は音声を選択して電話端末にダウンロードし、ダウンロードされた音楽又は音声を所定の着信電話番号に対応づけて電話端末に設定を行う所定の入力手段と、音楽又は音声が設定されている電話端末による電話発信が行われた際に、電話端末にその着信電話番号に対応づけられて設定されている音楽又は音声を再生し、発信電話番号と着信電話番号の電話端末間での通話処理が開始されたときに、音楽又は音声を再生するのを停止する電話端末とを有する。
【００１８】
また、所定の入力手段は、音楽又は音声を着信電話番号、日付又は時刻情報に対応づけて設定を行ってもよい。
【００１９】
また、所定の入力手段は、電話端末又はパーソナルコンピュータであってもよい。
【００２０】
本発明のプログラムは、
コンピュータ又はマイクロプロセッサに上述の呼び出しメロディーサービス方法を実行させる。
【００２１】
本発明のプログラムは、
コンピュータ又はマイクロプロセッサを上述の呼び出しメロディーサービスシステムとして機能させる。
【発明の効果】
【００２２】
本発明は、以下の効果を有する。
【００２３】
所定の入力手段により、複数の音楽又は音声を蓄積したサービスサイトに通信ネットワークを介してアクセスし、所定の音楽又は音声を選択してサービスノードにダウンロードし、ダウンロードされた音楽又は音声を所定の発信電話番号及び着信電話番号に対応づけてサービスノードに設定を行い、サービスノードに設定されている所定の発信電話番号による電話発信を受け付けた交換機が、発信電話番号及び着信電話番号をサービスノードに通知し、サービスノードが交換機より通知された発信電話番号及び着信電話番号に対応づけられた音楽又は音声を発信電話番号の電話端末に流し、発信電話番号と着信電話番号の電話端末間での通話処理が開始されたときに交換機がその旨をサービスノードに通知し、サービスノードが通話処理が開始された旨の通知を受け付けたときに、音楽又は音声を発信電話番号の電話端末に流すのを停止することにより、呼び出しメロディーサービス加入者があらかじめ通信ネットワーク内のサービスノードにダウンロードして設定した音楽/音声を自分が電話発信した際に、相手が出るまでの呼び出し音として聴くことができるという効果を有する。
【発明を実施するための最良の形態】
【００２４】
（発明の第１の実施の形態）
本発明の第１の実施の形態の構成について図１及び図２を用いて説明する。
【００２５】
本発明の第１の実施の形態の呼び出しメロディーサービスシステムは、通信ネットワーク（インターネット）に接続される電話端末１ａ、１ｂと、交換機２と、サービスノード３と、パーソナルコンピュータ（ＰＣ）４と、サービスプロバイダのサービスサイト５とから構成される。
【００２６】
電話端末１ａ、１ｂには、固定電話１１、携帯電話１２、ＩＰ電話１３がある。電話端末１ａ、１ｂ又はパーソナルコンピュータ（ＰＣ）４は、音楽又は音声を蓄積したサービスプロバイダのサービスサイト５にインターネットを介してアクセスし、好みの音楽又は音声を選択した後に、音楽又は音声をサービスノード３にダウンロードし、発信電話番号、着信電話番号、日付又は時刻情報等に対応づけて設定を行う。
【００２７】
交換機２には、固定電話１１に接続する交換機２１、基地局６を経由して携帯電話１２に接続する交換機２２、ＩＰ電話１３に接続するＩＰ交換機２３がある。交換機２は、発信者の電話端末１ａからの電話発信時に発信電話番号及び着信電話番号をサービスノード３に通知する。また、着信者の電話端末１ｂからの電話着信応答時に発信者と着信者の電話端末間での通話処理が開始された旨をサービスノード３に通知する。
【００２８】
サービスノード３は、サービスプロバイダのサービスサイト５からダウンロードされた音楽又は音声をストックしている。サービスノード３は、発信者の電話端末１ａにより発信電話番号、着信電話番号、日付又は時刻情報等に対応づけられた音楽又は音声を交換機２を経由して発信者の電話端末１ａに流す。サービスノード３は、発信者と着信者の電話端末間での通話処理が開始された旨の通知を交換機２から受け付けたときに、音楽又は音声を発信者の電話端末１ａに流すのを停止する。
【００２９】
図３はサービスノード３の構成を示す図である。
【００３０】
サービスノード３内には、各通信ネットワークとインターワークを行うインターフェース部３１と、メロディーサービスの加入者が設定した内容を管理する加入者データ部３２と、音楽及び音声を保持するための音楽及び音声データ部３３と、メロディーサービスを制御する制御部３４がある。
【００３１】
次に、本発明の第１の実施の形態の動作を図２を用いて説明する。
（１）まず加入者は加入事業者であるサービスプロバイダのサービスサイト５において又はインターネットを介して携帯電話、ＩＰ電話、ＰＣにより本サービスに加入する。
（２）次に、インターネットを介して携帯電話、ＩＰ電話、ＰＣにより自分の趣味に合った各事業者であるサービスプロバイダのサービスサイト５より、音楽/音声を探し（購入前の視聴も可）、購入し、サービスノード３にダウンロードする。
（３）各事業者であるサービスプロバイダのサービスサイト５において又はインターネットを介して携帯電話、ＩＰ電話、ＰＣにより自分の選んだ音楽/音声に対し、発信電話番号、着信電話番号、日付又は時刻情報等に対応づけて設定を行う。
（４）設定が完了すれば、以降、このサービス加入者が電話を発信した際に、相手が出るまでの間、自分の趣味に合った音楽/音声を、設定した内容にあわせ聴くことが出来る。
（５）各ネットワークの交換機２は発信者の電話端末１ａからの発信時に発信電話番号/着信電話番号をサービスノード３に通知し、サービスノード３はこれら情報を元に、発信者の電話端末１ａへ適した音楽/音声を流す。
（６）交換機２は、着信者の電話端末１ｂからの電話着信応答時に発信者と着信者の電話端末間での通話処理が開始された旨をサービスノード３に通知する。
（７）サービスノード３は、発信者と着信者の電話端末間での通話処理が開始された旨の通知を交換機２から受け付けたときに、音楽又は音声を発信者の電話端末１ａに流すのを停止する。
【００３２】
また、本発明のプログラムにより、コンピュータ又はマイクロプロセッサに上述の呼び出しメロディーサービス方法を実行させることができる。
【００３３】
また、本発明のプログラムにより、コンピュータ又はマイクロプロセッサを上述の呼び出しメロディーサービスシステムとして機能させることができる。
【００３４】
従って、複数の音楽又は音声を蓄積したサービスサイトに通信ネットワークを介してアクセスし、所定の音楽又は音声を選択してサービスノードにダウンロードし、ダウンロードされた音楽又は音声を所定の発信電話番号及び着信電話番号に対応づけてサービスノードに設定を行う電話端末又はパーソナルコンピュータと、サービスノードに設定されている所定の発信電話番号による電話発信を受け付けて、発信電話番号及び着信電話番号をサービスノードに通知し、また、発信電話番号と着信電話番号の電話端末間での通話処理が開始されたときにその旨をサービスノードに通知する交換機と、交換機より通知された発信電話番号及び着信電話番号に対応づけられた音楽又は音声を発信電話番号の電話端末に流し、また、交換機より通話処理が開始された旨の通知を受け付けたときに、音楽又は音声を発信電話番号の電話端末に流すのを停止するサービスノードとを有することにより、電話利用者は今まで画一的であった相手が出るまでの呼び出し音を長時間聴かされ、相手とつながる前に切断をしていた場合も多くあったが、自分の趣味に合った音楽/音声を待ち時間に聴けることにより、今までより長い時間待つことが可能となる。
【００３５】
また、自分の趣味に合った音楽/音声を選ぶことが可能なため、個性を出すことができ、利用者間のコミュニケーションも増える。コミュニケーションが増えることにより、音声通話増、データ通信（メール）増につながる。
【００３６】
また、自分の趣味に合った音楽/音声を相手を呼び出している間に聴くことができ、今まで以上に相手が出るまで待つことが可能となることにより、今まで呼損となっていた呼も接続される場面が増え、電話事業者の音声通話による収入を増やすことが出来る。また、音楽/音声等のデータをダウンロードすることにより、データ通信による収入増にもつながる。サービスプロバイダは音楽/音声データの販売による収入増につながる。
【００３７】
また、電話端末又はパーソナルコンピュータは、音楽又は音声を発信電話番号、着信電話番号、日付又は時刻情報に対応づけて設定を行うことにより、指定した特定の日時、又は毎月、毎日、毎時間ごとに、呼び出し音の代わりに、指定した音楽/音声を聴くことが可能となり、季節や時刻にふさわしい音楽/音声を聴くことができる。
【００３８】
（発明の第２の実施の形態）
本発明の第２の実施の形態の構成について図４及び図５を用いて説明する。
【００３９】
本発明の第２の実施の形態の呼び出しメロディーサービスシステムは、通信ネットワーク（インターネット）に接続される電話端末１と、交換機２と、パーソナルコンピュータ（ＰＣ）４と、サービスプロバイダのサービスサイト５とから構成される。
【００４０】
本発明の第２の実施の形態は、音楽/音声のダウンロード先をネットワーク内サービスノード３ではなく、電話端末１自体にすることである。こうすることにより、ネットワーク内の設備を縮小することが可能である。
【００４１】
電話端末１には、固定電話１１、携帯電話１２、ＩＰ電話１３がある。電話端末１又はパーソナルコンピュータ（ＰＣ）４は、音楽又は音声を蓄積したサービスプロバイダのサービスサイト５にインターネットを介してアクセスし、好みの音楽又は音声を選択した後に、音楽又は音声を電話端末１にダウンロードし、着信電話番号、日付又は時刻情報等に対応づけて設定を行う。
【００４２】
交換機２には、固定電話１１に接続する交換機２１、基地局６を経由して携帯電話１２に接続する交換機２２、ＩＰ電話１３に接続するＩＰ交換機２３がある。交換機２は、発信者の電話端末１ａからの電話発信時に発着信処理を行う。また、着信者の電話端末１ｂからの電話着信応答時に、通話処理を行う。
【００４３】
発信者の電話端末１ａは、サービスプロバイダのサービスサイト５からダウンロードされた音楽又は音声をストックしている。発信者の電話端末１ａは、着信電話番号、日付又は時刻情報等に対応づけられた音楽又は音声を再生する。交換機２が、着信者の電話端末１ｂからの電話着信応答時に発信者の電話端末１ａとの通話処理を開始した時に、発信者の電話端末１ａは、音楽又は音声を再生するのを停止する。
【００４４】
次に、本発明の第２の実施の形態の動作を図５を用いて説明する。
（１）まず加入者は加入事業者であるサービスプロバイダのサービスサイト５において又はインターネットを介して携帯電話、ＩＰ電話、ＰＣにより本サービスに加入する。
（２）次に、インターネットを介して携帯電話、ＩＰ電話、ＰＣにより自分の趣味に合った各事業者であるサービスプロバイダのサービスサイト５より、音楽/音声を探し（購入前の視聴も可）、購入し、発信者の電話端末１ａにダウンロードする。
（３）各事業者であるサービスプロバイダのサービスサイト５において又はインターネットを介して携帯電話、ＩＰ電話、ＰＣにより自分の選んだ音楽/音声に対し、着信電話番号、日付又は時刻情報等に対応づけて設定を行う。
（４）設定が完了すれば、以降、このサービス加入者が電話を発信した際に、相手が出るまでの間、自分の趣味に合った音楽/音声を、設定した内容にあわせ聴くことが出来る。
（５）各ネットワークの交換機２は発信者の電話端末１ａからの発信時に発着信処理を行う。
（６）発信者の電話端末１ａは、着信電話番号、日付又は時刻情報等に対応づけられた音楽又は音声を再生する。
（７）交換機２が、着信者の電話端末１ｂからの電話着信応答時に発信者の電話端末１ａとの通話処理を開始した時に、発信者の電話端末１ａは、音楽又は音声を再生するのを停止する。
【００４５】
また、本発明のプログラムにより、コンピュータ又はマイクロプロセッサに上述の呼び出しメロディーサービス方法を実行させることができる。
【００４６】
また、本発明のプログラムにより、コンピュータ又はマイクロプロセッサを上述の呼び出しメロディーサービスシステムとして機能させることができる。
【００４７】
従って、電話端末又はパーソナルコンピュータにより、複数の音楽又は音声を蓄積したサービスサイトに通信ネットワークを介してアクセスし、所定の音楽又は音声を選択して電話端末にダウンロードし、ダウンロードされた音楽又は音声を所定の着信電話番号に対応づけて電話端末に設定を行い、音楽又は音声が設定されている電話端末による電話発信が行われた際に、電話端末にその着信電話番号に対応づけられて設定されている音楽又は音声を再生し、発信電話番号と着信電話番号の電話端末間での通話処理が開始されたときに、発信電話番号の電話端末が、音楽又は音声を発信電話番号の電話端末に再生するのを停止することにより、電話利用者は今まで画一的であった相手が出るまでの呼び出し音を長時間聴かされ、相手とつながる前に切断をしていた場合も多くあったが、自分の趣味に合った音楽/音声を待ち時間に聴けることにより、今までより長い時間待つことが可能となると共に、ネットワーク内の設備を縮小することが可能である。
【００４８】
また、電話端末又はパーソナルコンピュータは、音楽又は音声を着信電話番号、日付又は時刻情報に対応づけて設定を行うことにより、指定した特定の日時、又は毎月、毎日、毎時間ごとに、呼び出し音の代わりに、指定した音楽/音声を聴くことが可能となり、季節や時刻にふさわしい音楽/音声を聴くことができる。
【図面の簡単な説明】
【００４９】
【図１】本発明の第１の実施の形態の呼び出しメロディーサービスシステムの構成を示す図である。
【図２】本発明の第１の実施の形態の呼び出しメロディーサービスシステムの動作を示す図である。
【図３】本発明の第１の実施の形態の呼び出しメロディーサービスシステムのサービスノードの構成を示す図である。
【図４】本発明の第２の実施の形態の呼び出しメロディーサービスシステムの構成を示す図である。
【図５】本発明の第２の実施の形態の呼び出しメロディーサービスシステムの動作を示す図である。
【符号の説明】
【００５０】
１ａ    発信者の電話端末
１ｂ    着信者の電話端末
２、２１、２２    交換機
３    サービスノード
４    パーソナルコンピュータ（ＰＣ）
５    サービスプロバイダのサービスサイト
６    基地局
１１    固定電話
１２    携帯電話
１３    ＩＰ電話
２３    ＩＰ交換機
３１    インターフェース部
３２    加入者データ部
３３    音楽及び音声データ部
３４    制御部
【図１】
2006148198.tif 000003
【図２】
2006148198.tif 000004
【図３】
2006148198.tif 000005
【図４】
2006148198.tif 000006
【図５】
2006148198.tif 000007